(57)【特許請求の範囲】
【請求項１】
用紙の辺の長さに関する辺サイズ情報と後処理禁止情報とが対応して格納される禁止情報記憶手段と、
入力手段と、
該入力手段の操作に応じて、縦又は横の用紙方向を基準として用紙の後処理辺を識別する後処理辺識別情報と、後処理辺に対する後処理位置を識別する後処理位置識別情報と、用紙サイズ情報とを含む後処理情報を設定する設定手段と、
該設定手段で設定された情報が格納される設定情報記憶手段と、
該禁止情報記憶手段の記憶内容に基づき、該設定手段により設定した後処理情報が後処理禁止を示しているか否かを判定し、肯定判定した場合、該後処理位置識別情報が後処理辺の両端部の一方を示していれば、該両端部の他方から該一方の側へ後処理辺を９０°回転させ、該記憶手段に格納されている該後処理辺識別情報を該９０°回転に対応して更新させるとともに、該後処理位置識別情報が、該９０°回転後の後処理辺の両端部の他方を示すように、該記憶手段に格納されている該後処理位置識別情報を更新させることにより、後処理情報設定エラーを解消可能か否かを判定し、解消可能と判定すれば、これら更新を行うとともに、給紙段を、用紙のサイズが同じで、横送りの場合には縦送りのものに、縦送りの場合には横送りのものに変更することにより、該後処理情報設定エラーを解消する後処理情報設定エラー解消手段と、
給紙される用紙に画像を形成する画像形成手段と、
該画像形成手段で画像が形成された用紙に対し物理的に後処理を行う後処理手段と、
該設定情報記憶手段に格納されている記憶内容に基づいて該後処理手段に対し後処理を行わせる制御手段と、
を有し、該制御手段は、該後処理辺識別情報を更新する前に、該後処理辺識別情報を綴じ代情報として該設定情報記憶手段に格納しておき、該給紙段の変更に応じて印刷対象の画像を９０°回転させることにより、該後処理手段で後処理された用紙束を該綴じ代情報に基づいて捲ったときに画像の向きが全ページについて同一方向になるように該画像形成手段に対し画像を形成させる、
ことを特徴とする画像形成装置。
【請求項２】
該後処理情報設定エラー解消手段はさらに、該後処理禁止を示していると判定しなかった場合であっても、後処理辺が短辺で給紙方向を変更可能であり、且つ、該後処理位置識別情報が後処理辺の両端部の一方を示していれば、該両端部の他方から該一方の側へ後処理辺を９０°回転させ、該記憶手段に格納されている該後処理辺識別情報を該９０°回転に対応して更新させるとともに、該後処理位置識別情報が、該９０°回転後の後処理辺の両端部の他方を示すように、該記憶手段に格納されている該後処理位置識別情報を更新し、さらに、給紙段を、用紙のサイズが同じで、用紙横送りのものに変更することを特徴とする請求項１に記載の画像形成装置。
【請求項３】
該設定手段は、入力手段と、表示手段と、該表示手段の画面に用紙を表示させ該入力手段の操作に応じて該用紙上の選択された後処理辺と該選択された後処理辺上又は後処理辺に沿った後処理位置とを表示させ表示に対応した該後処理情報を設定する表示制御手段とを有する、
ことを特徴とする請求項１又は２に記載の画像形成装置。
【請求項４】
該表示制御手は、該判定手段が後処理禁止を示していると判定した場合には後処理位置を非表示にする、
ことを特徴とする請求項３に記載の画像形成装置。
【請求項５】
該後処理手段はステープル装置を有し、
該後処理位置識別情報は、後処理辺上の一端部、２点及び他端部を示すものであり、該一端部が隣り合う後処理辺上の他端部と同じである、
ことを特徴とする請求項１乃至４のいずれか１つに記載の画像形成装置。
【請求項６】
該設定手段は、画面に後処理辺ボタンとステープルボタンと用紙とを表示させ、該用紙の一辺を他の辺と異なる表示にして該一辺を、選択された後処理辺に対応させ、該後処理辺ボタンがタッチされる毎に該後処理辺の選択辺をシフトさせ、該ステープルボタンがタッチされる毎に該選択辺上又は該選択辺に沿ってステープル表示位置をシフトさせるタッチパネルを有し、該選択辺を該後処理辺識別情報に対応させ、該ステープル表示位置を該後処理位置識別情報に対応させることを特徴とする請求項１乃至５のいずれか１つに記載の画像形成装置。
【請求項７】
該タッチパネルは、該画面にさらにパンチボタンを表示させ、該パンチボタンがタッチされる毎に該選択辺に対応した位置にパンチ穴をトグル表示させ、該パンチ穴の表示の有無を該後処理位置識別情報に対応させることを特徴とする請求項６に記載の画像形成装置。
【発明の詳細な説明】
【技術分野】
【０００１】
本発明は、用紙を搬送して用紙に画像を形成する、プリンタ、複写機、ファクシミリ又は複合機等の画像形成装置に用いられる情報処理装及びこれを備えた画像形成装置に係り、特に、ステープル処理やパンチ処理等の後処理を行う後処理手段を備えた画像形成装置に用いる場合に好適な情報処理装及びこれを備えた画像形成装置に関する。
【背景技術】
【０００２】
下記特許文献１、２では何れも、例えば図１６（Ａ）に示すように、用紙１の一辺を綴じ代２に指定し、綴じ代２を基準に捲り方向を決定している。一方、後処理装置は用紙束の給紙方向前端又は後端の一方を揃えて後処理するように構成されているので、給紙方向前端又は後端の一方が綴じ代になるように用紙をセットした給紙段を使用しなければならない。このため、綴じ代２により送り方向も決定される。
【０００３】
従来では、例えば用紙サイズがＢ４で画像形成装置がＢ４の横送りに対応していない場合、図１６（Ａ）の綴じ代２に対し、例え図１６（Ｂ）に示すように綴じ代２の一端部にステープル処理する場合であっても、上記のように綴じ代２により送り方向が決定されるので、縦送りに変更することができないという問題があった。
【０００４】
本発明者らは、綴じ代とは別の「後処理辺」という概念を導入することにより、この問題を解決することができることを見い出した。ここで、後処理辺との関係で設定エラーをどのように処理するかがユーザの操作性に大きく影響するので、設定エラー処理が重要な技術的課題となる。
【特許文献１】特開平２００２−２４１０４１号公報
【特許文献２】特開平２００３−２６６８０６号公報
【発明の開示】
【発明が解決しようとする課題】
【０００５】
本発明の目的は、ユーザによる後処理情報設定にエラーがあっても、後処理位置識別情報が後処理辺の両端部の一方を示していれば、自動的にエラーを解消することにより、操作性を向上させることが可能な情報処理装及びこれを備えた画像形成装置を提供することにある。
【０００６】
本発明の他の目的は、後処理情報設定時に設定エラーであると判定しても自動的にエラーを解消することにより、操作性を向上させることが可能な情報処理装及びこれを備えた画像形成装置を提供することにある。
【０００８】
本発明の他の目的は、エラー解消処理を簡単化することが可能な情報処理装及びこれを備えた画像形成装置を提供することにある。
【課題を解決するための手段】
【０００９】
本発明の第１態様では、用紙の辺の長さに関する辺サイズ情報と後処理禁止情報とが対応して格納される禁止情報記憶手段と、入力手段とを備えた情報処理装置において、
該入力手段の操作に応じて、縦又は横の用紙方向を基準として用紙の後処理辺を識別する後処理辺識別情報と、後処理辺に対する後処理位置を識別する後処理位置識別情報と、用紙サイズ情報とを含む後処理情報を設定する設定手段と、
該禁止情報記憶手段の記憶内容に基づき、該設定手段により設定した後処理情報が後処理禁止を示しているか否かを判定し、肯定判定した場合、該後処理位置識別情報が後処理辺の両端部の一方を示していれば、該両端部の他方から該一方の側へ後処理辺を９０°回転させ、該記憶手段に格納されている該後処理辺識別情報を該９０°回転に対応して更新させるとともに、該後処理位置識別情報が、該９０°回転後の後処理辺の両端部の他方を示すように、該記憶手段に格納されている該後処理位置識別情報を更新させることにより、後処理情報設定エラーを解消可能か否かを判定し、解消可能と判定すれば、これら更新を行うとともに、給紙段を、用紙のサイズが同じで、横送りの場合には縦送りのものに、縦送りの場合には横送りのものに変更することにより、該後処理情報設定エラーを解消する後処理情報設定エラー解消手段とを有する。
【００１２】
本発明による情報処理装置の第２態様では、第１態様において、該後処理情報設定エラー解消手段はさらに、該後処理禁止を示していると判定しなかった場合であっても、後処理辺が短辺で給紙方向を変更可能であり、且つ、該後処理位置識別情報が後処理辺の両端部の一方を示していれば、該両端部の他方から該一方の側へ後処理辺を９０°回転させ、該記憶手段に格納されている該後処理辺識別情報を該９０°回転に対応して更新させるとともに、該後処理位置識別情報が、該９０°回転後の後処理辺の両端部の他方を示すように、該記憶手段に格納されている該後処理位置識別情報を更新し、さらに、給紙段を、用紙のサイズが同じで、用紙横送りのものに変更する。
【００１４】
本発明による情報処理装置の第３態様では、第１又は第２態様において、該設定手段は、入力手段と、表示手段と、該表示手段の画面に用紙を表示させ該入力手段の操作に応じて該用紙上の選択された後処理辺と該選択された後処理辺上又は後処理辺に沿った後処理位置とを表示させ表示に対応した該後処理情報を設定する表示制御手段とを有する。
本発明による情報処理装置の第４態様では、該表示制御手は、該判定手段が後処理禁止を示していると判定した場合には後処理位置を非表示にする。
【００１５】
本発明による画像形成装置の第１態様では、
上記第１乃至４態様のいずれか１つに記載の情報処理装置と、
給紙される用紙に画像を形成する画像形成手段と、
該画像形成手段で画像が形成された用紙に対し物理的に後処理を行う後処理手段と、
該情報処理装置の該設定手段で設定された情報が格納される設定情報記憶手段と、
該設定情報記憶手段に格納されている記憶内容に基づいて該後処理手段に対し後処理を行わせる制御手段とを有する。
【００１６】
本発明による画像形成装置の第２態様では、前記第１態様において、該制御手段は、該後処理辺識別情報を更新する前に、該後処理辺識別情報を該更新に依存しない綴じ代情報として該設定情報記憶手段に格納しておき、該後処理手段で後処理された用紙束を該綴じ代情報に基づいて捲ったときに画像の向きが全ページについて同一方向になるように該画像形成手段に対し画像を形成させる。
【００１７】
本発明による画像形成装置の第３態様では、第１又は２態様において、
該後処理手段はステープル装置を有し、
該後処理位置識別情報は、後処理辺上の一端部、２点及び他端部を示すものであり、該一端部が隣り合う後処理辺上の他端部と同じである。
【００１８】
本発明による画像形成装置の第４態様では、第１乃至３態様のいずれか１つにおいて、
該後処理手段はパンチ装置を有し、
該パンチ装置に関する該後処理位置識別情報は、パンチ穴の有無を示す情報である。
【００１９】
本発明による画像形成装置の第５態様では、第１乃至４態様のいずれか１つにおいて、該情報処理装置の該設定手段は該後処理情報としてさらに該用紙の綴じ代幅情報を設定する。
【００２０】
本発明による画像形成装置の第６態様では、第１乃至５態様のいずれか１つにおいて、該情報処理装置の該設定手段は、画面に後処理辺ボタンとステープルボタンと用紙とを表示させ、該用紙の一辺を他の辺と異なる表示にして該一辺を、選択された後処理辺に対応させ、該後処理辺ボタンがタッチされる毎に該後処理辺の選択辺をシフトさせるタッチパネルを有し、該選択辺を該後処理辺識別情報に対応させ、該ステープル表示位置を該後処理位置識別情報に対応させる。
【００２１】
本発明による情報処理装置の第７態様では、第６態様において、該タッチパネルは、該画面にさらにパンチボタンを表示させ、該パンチボタンがタッチされる毎に該選択辺に対応した位置にパンチ穴をトグル表示させ、該パンチ穴の表示の有無を該後処理位置識別情報に対応させる。
【発明の効果】
【００２２】
上記情報処理装置の第１態様の構成によれば、ユーザによる後処理情報設定にエラーがあっても、後処理位置識別情報が後処理辺の両端部の一方を示していれば、後処理辺９０°回転による後処理情報設定エラー解消処理が自動的に行われるので、操作性を向上させることが可能となるとともに、無駄時間を削減して作業効率を高めることが可能となる。
【００２３】
また、上記のような後処理情報を用いるとともに上記のような後処理情報更新処理を行うので、用紙の４辺のどれかによらず統一的にエラー解消処理を行うことができ、エラー解消処理を簡単化することが可能となる。
【００２７】
本発明の他の目的、構成及び効果は以下の説明から明らかになる。
【実施例１】
【００２８】
図１は、本発明が適用された画像形成システムの概略構成を示すブロック図である。
【００２９】
このシステムは、画像形成装置１０、例えば複合機に、ホストコンピュータＨＣが結合されて構成されている。簡単化のために、以下では画像形成装置１０をプリンタとして利用する場合の構成について説明する。この場合、画像形成装置１０は、ホストコンピュータＨＣから供給される画像情報と画像形成装置１０で設定される情報とに基づいて、用紙に画像を形成する。
【００３０】
画像形成装置１０では、システム制御装置１１に画像情報メモリ１２、設定情報メモリ１３、エラー情報メモリ１３Ｅ、操作部１４、画像書込制御装置１５、用紙搬送制御装置１６及び後処理制御装置１７が結合されている。
【００３１】
システム制御装置１１は、ホストコンピュータＨＣから供給される画像情報を一旦、画像情報メモリ１２に格納させる。この画像情報は、アプリケーションプログラムの印刷ルーチンからプリンタドライバを介して供給されるものであり、デバイスの解像度等に依存しないＰＤＬ（ページ記述言語）で記述されている。システム制御装置１１は、ユーザが操作部１４を操作して設定した情報を、設定情報メモリ１３に格納させる。設定情報メモリ１３は、フラッシュメモリなどの再書き込み可能な不揮発性メモリである。エラー情報メモリ１３Ｅは、後述のエラー判定用エラーテーブルを予め格納するためのＲＯＭである。設定情報メモリ１３及びエラー情報メモリ１３Ｅは、ハードディスク等の外部記憶装置で構成してもよい。
【００３２】
システム制御装置１１は、後述のように設定情報メモリ１３及びエラー情報メモリ１３Ｅの内容に基づいて必要に応じ画像情報メモリ１２の内容を書き換え、これを画像書込制御装置１５に供給する。画像書込制御装置１５は、この画像情報に基づいて、ＰＤＬ記述画像をビットマップ展開し、そのビットマップデータに基づいてレーザビームをオン・オフ制御することにより、画像書込装置１５Ｍ内の感光体ドラム上に所望の静電潜像を形成させる。画像書込装置１５Ｍはトナーを該感光体ドラム上の帯電部に付着させて該静電潜像を現像させ、そのトナー像を用紙に静電転写させた後、定着させる。
【００３３】
システム制御装置１１は用紙搬送制御装置１６を介し用紙搬送装置１６Ｍを駆動して用紙を給紙段から画像書込装置１５Ｍへ搬送させ、画像書込装置１５Ｍで画像が形成された用紙を排紙トレイ上に排紙させる。両面印刷における用紙反対面画像については、この排紙を行わせずに用紙をスイッチバックさせ、再度画像書込装置１５Ｍに供給させて用紙反対面に画像を形成させた後、排紙トレイ上に排紙させる。
【００３４】
システム制御装置１１は、後処理をすべき情報が画像情報メモリ１２又は設定情報メモリ１３の内容に含まれている場合には、画像形成後の用紙束に対し後処理制御装置１７を介してステープル装置１７ＭＳ又はパンチ装置１７ＭＰによりステープル処理又はパンチ処理を行なわせる。なお、パンチ処理については用紙毎に行ってもよい。
【００３５】
図２は、後処理設定情報説明図である。以下においては、用紙方向が縦である場合を説明する。
【００３６】
図２（Ａ）において、ポートレイト画像が形成される縦方向用紙に対し、ステープル処理又はパンチ処理を行う後処理辺Ｌ０〜Ｌ３の何れか１つ（Ｌ）を指定する。ユーザがこの指定を行う段階では、後処理辺は、用紙捲り方向を決定する綴じ代に一致している。すなわち、ユーザは後処理辺として綴じ代を設定すればよい。
【００３７】
後処理位置については、用紙の中央Ｏから見た後処理辺Ｌ上の位置を指定する。これにより、後処理位置は特定の後処理辺に依存しない。図２（Ｂ）に示す如く、後処理辺Ｌに沿ったステープル位置はＳＴ０、ＳＴ１又はＳＴ２の何れかとする。ＳＴ０及びＳＴ２は端部（コーナー部）斜め打ちであり、ＳＴ１は２点打ちである。パンチ処理情報は、後処理辺Ｌに沿った２穴パンチ処理、４穴パンチ処理、又はパンチ処理無しの情報であり、図２（Ｃ）は、後処理辺Ｌに対する２穴パンチ処理の場合を示している。
【００３８】
このように、後処理辺の位置情報と、用紙中央Ｏから見た後処理辺に沿った後処理位置情報との組を用いることにより、後処理情報が単純化されるので、後処理ルーチンを簡単化することができる。
【００３９】
図３は、操作部１４で設定されて設定情報メモリ１３に格納される後処理情報のデータ構造を示す。
【００４０】
この情報は、後述のように、後処理辺がＬ０〜Ｌ３の何れであるか又は未選択を示す後処理辺コード（後処理辺ＩＤ）ＥＣ＝０〜４と、任意の後処理辺に対するステープル位置ＳＴ０〜ＳＴ２又はステープル非選択を示す識別するステープルコード（ステープル位置ＩＤ）ＳＣ＝０〜３と、２穴及び４穴のパンチ処理有無を示すパンチコードＰＣ＝０〜２と、綴じ代の幅（ｍｍ）と、用紙サイズ（用紙方向を含む）とからなる。
【００４１】
用紙サイズと後処理辺ＩＤとで、後処理辺の長さが定まり、各長さに対応したステープル位置ＳＴ０〜ＳＴ２の実際の処理辺長手方向位置が後処理制御装置１７内のＲＯＭ（不図示）に格納されている。また、綴じ代の幅方向中央に後処理が行われる。用紙サイズ及び用紙の方向（縦、横）は、不図示の用紙設定画面で設定される。
【００４２】
「綴じ代」が用紙の綴じ位置及び捲り方向を決定するユーザ主体の概念であるのに対し、「後処理辺」は後処理手段による処理を示す後処理手段主体の概念である。ユーザが設定した後処理辺ＩＤは、後述の後処理辺ＩＤ自動変更前に、綴じ代ＩＤとしてコピーされて記憶される。
【００４３】
図８は、図１の操作部１４のタッチパネルに表示される後処理設定画面を示す。この画面には、用紙２０、後処理辺ボタン２１、ステープルボタン２２、パンチボタン２３、インクリメントボタン２４、デクリメントボタン２５、用紙選択コンボボックス２６及びＯＫボタン２７が表示されている。
【００４４】
この設定画面上の用紙２０の方向は、用紙設定画面で設定したものと一致している。図８において用紙２０をその上端側に給紙すれば、画像形成装置１０で画像を回転させることなく、所望の画像を形成することができる。すなわち、後処理辺設定前の給紙方向は用紙２０の上端側（縦送り）である。
【００４５】
操作ボタン２１〜２３へのタッチに応じて用紙２０の画像が後述のように変化し、後処理基本情報を容易に設定することが可能となっている。また、インクリメントボタン２４をタッチする毎に綴じ代幅設定値が１ｍｍインクリメントされ、デクリメントボタン２５をタッチする毎に綴じ代幅設定値が１ｍｍデクリメントされる。
【００４６】
図５は、操作ボタン２１〜２３のいずれかをタッチしたときの割り込み処理を示すフローチャートである。操作ボタン２１〜２３に対応してそれぞれ上記後処理辺コードＥＣ、ステープルコードＳＣ及びパンチコードＰＣが用いられ、これらの値に応じて用紙２０上の表示が変化する。
【００４７】
まず、後処理辺ボタン２１をタッチする毎に図８の用紙２０上において、選択された後処理辺（太線）が図１０に示す如く変化する。図１０はステープルコードＳＣが１、パンチコードＰＣが２に設定されている場合を示す。後処理辺コードＥＣの初期値は０、後処理辺コードＥＣの最大値は４であり、４の次は０に戻る。ＥＣ＝４のときは太線非表示となり、後処理無しを意味する。
【００４８】
すなわち、後処理辺ボタン２１をタッチすると、図５において、ステップＳ１で肯定判定されてステップＳ２へ進み、ＥＣ＝４であればステップＳ３でＥＣ＝０とされ、そうでなければステップＳ４で後処理辺コードＥＣが１だけインクリメントされる。次に、ステップＳ５でＥＣ＝４と判定されればステップＳ７で後処理辺（太線）が非表示にされ、そうでなければステップＳ６で後処理辺コードＥＣの値に対応した後処理辺が太線表示される。
【００４９】
同様に、ステープルボタン２２をタッチする毎に、選択された後処理辺（太線）に沿ったステープル処理位置が図１１に示す如く変化する。図１１は後処理辺コードＥＣが０、パンチコードＰＣが２に設定されている場合を示す。ステープルコードＳＣの初期値は１、ステープルコードＳＣの最大値は３であり、３の次は０に戻る。ＳＣ＝３のときはステープル非表示となり、ステープル処理無しを意味する。
【００５０】
すなわち、ステープルボタン２２をタッチすると、図５において、ステップＳ１で否定判定され、ステップＳ８で肯定判定されてステップＳ９へ進み、上記同様に、ステープルコードＳＣが１だけインクリメントされ又は０に戻され、図８の用紙２０上においてステープルコードＳＣの値に応じた表示が行われる。
【００５１】
同様に、パンチボタン２３をタッチする毎に、選択された後処理辺に沿ったパンチ穴表示が図１２に示す如く変化する。図１２は後処理辺コードＥＣが０、ステープルコードＳＣが３に設定されている場合を示す。パンチコードＰＣの初期値は０、パンチコードＰＣの最大値は２であり、２の次は０に戻る。ＰＣ＝０のときはパンチ穴非表示となり、パンチ処理無しを意味する。パンチコードＰＣが１、２のときはそれぞれ２穴パンチ有り、４穴パンチ有りを意味する。
【００５２】
すなわち、パンチボタン２３をタッチすると、図５において、ステップＳ１及びステップＳ８で否定判定され、ステップＳ１０で肯定判定されてステップＳ１１へ進み、パンチコードＰＣが１だけインクリメントされ又は０に戻され、図８の用紙２０上においてパンチコードＰＣの値に応じた表示が行われる。
【００５３】
ステップＳ１２では、設定中の現段階における後処理設定情報に対するエラー処理を、後述のように行う。
【００５４】
図４は、図１のエラー情報メモリ１３Ｅに格納されるエラーテーブル説明図である。
【００５５】
このテーブルには、用紙の後処理辺のサイズ情報及びパンチコードＰＣと、これに対応したエラー（禁止）内容とが記述されている。図４中のＬ及びＳはそれぞれ用紙の長辺及び短辺を示す。図４は、エラーの一例のみを示すものであり、例えば後処理辺がレターサイズ用紙の長辺又はＢ５サイズ用紙の長辺である場合には、２穴パンチ（ＰＣ＝１）が禁止される。後処理辺がレターサイズ用紙の長辺の場合に２穴パンチが禁止されるのは、サイズに因るものではなく、慣例に基づく。また、後処理辺がＡ４用紙短辺又はＢ５用紙長辺である場合には４穴パンチ（ＰＣ＝２）が禁止される。さらに、後処理辺がＢ４用紙長辺の場合には横送りが禁止（後処理が禁止、テーブル中のａｎｙはＰＣの値に依存しないことを示す）される。
【００５６】
図６は、図５中のステップＳ１２の設定エラー処理の詳細を示すフローチャートである。以下、括弧内は図中のステップ識別符号を示す。
【００５７】
（Ｅ１）自動解消可能エラーフラグＥＦをリセットする。このフラグＥＦは、後述の図７の処理で用いるためのものである。
【００５８】
（Ｅ２）図４のテーブルを参照して、現在選択されている後処理情報が示す後処理が、禁止されている（エラーである）か否かをチェックする。
【００５９】
（Ｅ３）ステップＥ２でエラーと判定された場合にはステップＥ４へ進み、そうでなければこのエラー処理終了する。
【００６０】
（Ｅ４）綴じ代を変えずに後処理辺を隣の辺に変更可能であり、かつ、この変更によりエラーを解消できるか否かを判定する。例えば図１３（Ａ）に示すようにＢ４縦の用紙のＬ０が後処理辺でその一端部にステープル処理をする設定である場合では、図１３（Ｂ）に示すように綴じ代及びステープル処理位置を変えずに後処理辺をＬ１に変更可能であると判定する。エラーを解消できるか否かの判定においては、変更後の後処理辺について、ステップＥ２と同じ処理を行う。図１３（Ａ）の場合には図１３（Ｂ）のように後処理辺を変更することにより、エラーを解消できると判定される。後述のように、このエラーは自動的に解消されるので、エラーに関しては何ら表示する必要がない。
【００６１】
エラーを自動解消できると判定した場合にはステップＥ５へ進み、そうでなければステップＥ６へ進む。
【００６２】
（Ｅ５）自動解消可能エラーフラグＥＦをセットし、このエラー処理を終了する。
【００６３】
（Ｅ６）後処理設定画面上にエラー情報を表示するとともに電子ブザー音を発する。例えば図９に示すように、Ｂ５用紙の後処理辺Ｌ０に２穴パンチを設定した場合には、２穴パンチの表示に×印を重ねて表示するとともに、図４のテーブル中の該当するエラー内容を表示する。
【００６４】
図８において、用紙選択コンボボックス２６の矢印部をタッチすると用紙サイズ選択用プルダウンメニューが表示され、設定エラーを自動で解消できないと判定された場合にユーザが用紙サイズを変更してエラーを解消するために用いられる。
【００６５】
ＯＫボタン２７をタッチすると、ステップＥ６のエラー表示状態でなければ、後処理辺コードＥＣ、ステープルコードＳＣ、パンチコードＰＣ及び綴じ代幅の設定値が図１の設定情報メモリ１３に格納されて確定する。エラー表示状態であれば、後処理情報を後処理無しに変更する。
【００６６】
一般に、用紙に関する設定はホストコンピュータＨＣで行うこともでき、本実施例においても同様である。すなわち、図８のような設定画面は、ホストコンピュータＨＣにインストールされているプリンタドライバを起動しても表示される。この場合、タッチパネルではなくポインティングデバイスで表示画面上をポインティングしクリック動作で設定するようにしてもよい。ホストコンピュータＨＣと画像形成装置１０の両方で設定されている場合には、原則としてホストコンピュータＨＣでの設定が優先される。例外として、画像形成装置１０の設定を優先させるように設定した場合にはそれによる。
【００６７】
図７は、後処理が設定された１つの印刷ジョブにおいて画像形成装置１０がホストコンピュータＨＣから片面印刷の印刷用画像情報を受け取って画像情報メモリ１２に格納した後の任意の１ページの処理を示す概略フローチャートである。
【００６８】
（Ｓ１９）図５のステップＳ１２、すなわち、ＯＫボタン２７をタッチする直前に図６のステップＥ５において自動解消可能エラーフラグＥＦがセットされていた場合にはステップＳ２２Ｂへ進み、そうでなければステップＳ２０へ進む。
【００６９】
（Ｓ２０）画像情報メモリ１２の内容から、後処理辺が用紙の長辺、すなわち後処理辺コードＥＣが０又は２であれば、ステップＳ２３へ進み、後処理辺が用紙の短辺、すなわち後処理辺コードＥＣが１又は３であればステップＳ２１へ進む。
【００７０】
（Ｓ２１）画像情報の該当ページに関し、画像形成装置１０で縦送りと横送りの何れも可能な用紙サイズが指定されており、かつ、後処理情報がパンチ無し（ＰＣ＝０）で、ステープルコードが０又は２であり、しかも横送り用紙が給紙段にセットされている場合には、給紙方向変更可能であると判定してステップＳ２２Ａへ進み、そうでなければステップＳ２３へ進む。
【００７１】
（Ｓ２２Ａ）用紙縦送りが横送りになるように、図３の内容を書き換えるとともに、給紙段を、用紙のサイズが同じで横送りのものに変更する。
【００７２】
この書き換えは、次のようにする。すなわち、例えば図１４（Ａ）に示すようにＥＣ＝１かつＳＣ＝０である場合には、図１４（Ｂ）に示すようにＥＣ＝０かつＳＣ＝２に変更する。循環則からＳＣ＝−１をＳＣ＝２に変更するようにすれば、これは後処理辺コードＥＣ及びステープルコードＳＣを共に１だけデクリメントすることに等しい。
【００７３】
また、図１５（Ａ）に示すようにＥＣ＝１かつＳＣ＝２である場合には、図１５（Ｂ）に示すようにＥＣ＝２かつＳＣ＝０に変更する。表示無しのＳＣ＝３を除いたステープルコードＳＣの循環則から、ＳＣ＝３をＳＣ＝０に変更するようにすれば、これは後処理辺コードＥＣ及びステープルコードＳＣを共に１だけインクリメントすることに等しい。
【００７４】
ＥＣ＝３の場合についても上記同様である。すなわち、ＥＣ＝３かつＳＣ＝０である場合にはＥＣ＝２かつＳＣ＝２に変更し、ＥＣ＝３かつＳＣ＝２である場合には、ＥＣ＝０かつＳＣ＝０に変更する。
【００７５】
このような規則性により、処理を簡単化することができる。次にステップＳ２３へ進む。
【００７６】
（Ｓ２２Ｂ）エラーを自動解消するために、図３の内容を書き換えるとともに、給紙段を、用紙のサイズが同じで、横送りの場合には縦送りのものに、縦送りの場合には横送りのものに変更する。
【００７７】
この書き換えは、上記ステップＳ２２Ａの場合と同様であり、例えば図１３（Ａ）に示すようにＥＣ＝０かつＳＣ＝２である場合、図１３（Ｂ）に示すようにＥＣ＝１かつＳＣ＝０に変更する。
【００７８】
（Ｓ２３）後処理辺が綴じ代と同じであれば、すなわちステップＳ２２を通らなかった場合には、ステップＳ２５へ進み、後処理辺が綴じ代の右に在ればステップＳ２４Ｒへ進み、後処理辺が綴じ代の左に在ればステップＳ２４Ｌへ進む。
【００７９】
（Ｓ２４Ｒ）画像情報メモリ１２内の画像情報に対し、画像が左（反時計回り）に９０度回転するように回転角情報を変更し、ステップＳ２５へ進む。
【００８０】
（Ｓ２４Ｌ）画像情報メモリ１２内の画像情報に対し、画像が右（時計回り）に９０度回転するように回転角情報を変更し、ステップＳ２５へ進む。
【００８１】
このような画像回転により、後処理された用紙束を綴じ代に基づいて捲ったときに、画像の向きが全ページについて同一方向になるように、画像書込装置１５Ｍに画像を形成させることができる。
【００８２】
なお、図８で説明したように、ステープルコードＳＣは点Ｏから見たステープル位置を示すので、ステープルコードＳＣの値は画像回転に依存せず、ステップＳ２２での綴じ代に対する後処理辺のシフトのみに依存する。
【００８３】
（Ｓ２５）システム制御装置１１は、画像情報メモリ１２の内容を画像書込制御装置１５に供給し、画像書込制御装置１５はこれに応答して画像書込装置１５Ｍに対し用紙に画像を形成させる。システム制御装置１１は、画像書込制御装置１５からの要求に応答して、用紙搬送制御装置１６を介し用紙搬送装置１６Ｍに用紙を搬送させる。また、システム制御装置１１は、後処理情報を後処理制御装置１７に供給し、後処理可能な条件が成立した時に用紙搬送制御装置１６から供給される要求に応答して、後処理制御装置１７に後処理を実行させる。ステープル装置１７ＭＳ又はパンチ装置１７ＭＰは、この後処理情報に基づいて後処理を実行する。
【００８４】
以上説明したように、本実施例１によれば、図４に示すように用紙の辺の長さに関する辺サイズ情報と後処理禁止情報とが対応して記述されたエラーテーブルを参照して、後処理情報設定中に図６に示すように後処理情報が後処理禁止を示しているか否かを判定しエラー情報を操作部１４に表示させるので、ユーザは後処理設定中に後処理辺に関するエラーに対処することが可能となる。
【００８５】
また、後処理情報設定中にエラーを自動解消可能なエラーがあるか否か判定し、自動解消可能なエラーがあればエラーと表示されず、後処理情報設定が確定した後に図７のステップＳ２２Ｂ、Ｓ２３、Ｓ２４でエラー解消処理が自動的に行われるので、操作性を向上させることができるとともに、無駄時間を削減して作業効率を高めることができる。
【００８６】
このエラー解消処理においては、図７のステップＳ２３、Ｓ２４で所望の捲り方向になるように画像が自動回転されるので、ユーザの負担を軽減させることができる。
【００８７】
さらに、図２及び図３に示すように単純化した後処理情報を用いているので、すなわち、後処理辺識別情報に依存しない、後処理辺に対する後処理位置を識別する後処理位置識別情報を用いているので、従来よりも後処理パターン数を大幅に低減してエラー処理を簡単化することができる。
【００８８】
また、後処理辺に対する後処理位置を識別する後処理位置識別情報としてのステープルコード及びパンチコードを用いているので、ステープル処理とパンチ処理を行う場合にそれらのデータが連携され、給紙方向を変更してもユーザの意図しない後処理が行われるのを防止することができる。
【００８９】
なお、本発明には外にも種々の変形例が含まれる。
【００９０】
例えば、上記実施例では用紙設定で用紙方向が縦（ポートレイト）に設定されている場合について説明したが、用紙設定で用紙方向が横（ランドスケープ）に設定されている場合については、図８の用紙２０を横置きにして上記同様に処理すればよいことは明らかである。
【００９１】
また、上記実施例では図２において用紙中央Ｏから各辺を見る場合を説明したが、用紙中央Ｏの紙面上方若しくは下方、又は用紙の外側から用紙各辺に対向して見ても同じ結果になるので、本発明は実質的に用紙中央Ｏから各辺を見る場合であればよい。
【００９２】
また、上記実施例では片面印刷の場合について説明したが、両面印刷の場合についても本発明を適用可能であることは明らかである。両面印刷で反対面画像を形成する場合、画像の方向が給紙方向と直角であるとき、画像を１８０゜回転させることにより、後処理装置で後処理された用紙束を綴じ代に基づいて捲ったときに画像の向きが全ページについて同一方向になるようにする。
【００９３】
また、本発明の画像処理装置では、後処理手段は後処理辺を変更可能にするものを少なくとも１つ、例えばステープル装置を含むものであればよい。
【００９４】
また、小型プリンタでは表示部が比較的小さいので、本発明の設定手段はＧＵＩを備えているものに限定されず、文字又は記号を表示する手段を備えたものであってもよい。
【００９５】
また、本発明の情報処理装置は、画像処理装置とは別体のコンピュータであってもよい。
【００９６】
さらにまた、上記実施例では画像形成システムがプリンタである場合を説明したが、本発明は後処理手段を備えた複写機やファクシミリにも適用可能である。
【００９７】
また、画像形成手段は、供給される用紙に画像を形成するものであればよく、レーザ静電転写方式に限定されず、インクジェット方式等であってもよいことは勿論である。
【図面の簡単な説明】
【００９８】
【図１】本発明が適用された画像形成システムの概略構成を示すブロック図である。
【図２】後処理設定情報説明図である。
【図３】後処理情報のデータ説明図である。
【図４】後処理設定エラー情報のデータ説明図である。
【図５】タッチパネル上の後処理辺ボタン、ステープルボタン、パンチボタンのいずれかをタッチしたとき割り込み処理を示すフローチャートである。
【図６】図５のステップＳ１２の詳細フローチャートである。
【図７】後処理が設定された１つの印刷ジョブにおいて画像形成装置がホストコンピュータから片面印刷の印刷用画像情報を受け取り画像情報メモリに格納した後の任意の１ページの処理を示す概略フローチャートである。
【図８】図１中の操作部のタッチパネルに表示される後処理設定画面を示す図である。
【図９】この後処理設定画面に表示されるエラー情報の説明図である。
【図１０】図５のステップＳ２〜Ｓ７の処理説明図である。
【図１１】図５のステップＳ９の処理説明図である。
【図１２】図５のステップＳ１１の処理説明図である。
【図１３】図７のステップＳ２２Ｂのエラー自動解消処理説明図である。
【図１４】後処理辺を綴じ代の左側の辺に変更する場合における図７のステップＳ２２Ａの処理説明図である。
【図１５】後処理辺を綴じ代の右側の辺に変更する場合における図７のステップＳ２２Ｂの処理説明図である。
【図１６】従来技術の問題点説明図である。
【符号の説明】
【００９９】
１０  画像形成装置
１１  システム制御装置
１２  画像情報メモリ
１３  設定情報メモリ
１３Ｅ  エラー情報メモリ
１４  操作部
１５  画像書込制御装置
１５Ｍ  画像書込装置
１６  用紙搬送制御装置
１６Ｍ  用紙搬送装置
１７  後処理制御装置
１７ＭＳ  ステープル装置
１７ＭＰ  パンチ装置
２０  用紙
２１  後処理辺ボタン
２２  ステープルボタン
２３  パンチボタン
２４  インクリメントボタン
２５  デクリメントボタン
２６  用紙選択コンボボックス
２７  ＯＫボタン
ＨＣ    ホストコンピュータ
Ｌ０〜Ｌ３、Ｌ  後処理辺
Ｓ０〜Ｓ２  ステープル処理位置
ＥＣ  後処理辺コード
ＳＣ  ステープルコード
ＰＣ  パンチコード
ＥＦ  自動解消可能エラーフラグ
【図１】
0004502914.tif 000002
【図２】
0004502914.tif 000003
【図３】
0004502914.tif 000004
【図４】
0004502914.tif 000005
【図５】
0004502914.tif 000006
【図６】
0004502914.tif 000007
【図７】
0004502914.tif 000008
【図８】
0004502914.tif 000009
【図９】
0004502914.tif 000010
【図１０】
0004502914.tif 000011
【図１１】
0004502914.tif 000012
【図１２】
0004502914.tif 000013
【図１３】
0004502914.tif 000014
【図１４】
0004502914.tif 000015
【図１５】
0004502914.tif 000016
【図１６】
0004502914.tif 000017